(57)【要約】【課題】支持基板の再利用が可能なキャリアおよび半導体装置の製造方法を提供する。【解決手段】キャリアは、支持基板と、前記支持基板の上に設けられた剥離層と、前記支持基板と前記剥離層との間に設けられた第１の密着層と、前記支持基板と前記第１の密着層との間に設けられ、前記剥離層の厚さおよび前記第１の密着層の厚さよりも厚い保護層と、を備えている。【選択図】図１
2020131552.tif 000002
【特許請求の範囲】
【請求項１】
支持基板と、
前記支持基板の上に設けられた剥離層と、
前記支持基板と前記剥離層との間に設けられた第１の密着層と、
前記支持基板と前記第１の密着層との間に設けられ、前記剥離層の厚さおよび前記第１の密着層の厚さよりも厚い保護層と、
を備えたキャリア。
【請求項２】
前記保護層は、Ａｌ、Ｔｉ、Ｖ、Ｃｒ、Ｆｅ、Ｃｏ、Ｎｉ、Ｃｕ、Ｇｅ、Ｒｂ、Ｙ、Ｚｒ、Ｎｂ、Ｍｏ、Ｒｈ、Ｐｄ、Ａｇ、Ｓｎ、Ｓｍ、Ｇｄ、Ｄｙ、Ｅｒ、Ｈｆ、Ｔａ、Ｗ、Ｒｅ、Ｏｓ、Ｉｒ、Ｐｔ、Ａｕ、Ｔｈ、およびＵよりなる群から選択された少なくとも１つを含む金属または酸化物からなる請求項１記載のキャリア。
【請求項３】
前記保護層は、樹脂層である請求項１記載のキャリア。
【請求項４】
前記剥離層の表面を覆うカバー層をさらに備え、
前記保護層は前記カバー層よりも厚い請求項１〜３のいずれか１つに記載のキャリア。
【請求項５】
前記カバー層は、金属層である請求項４記載のキャリア。
【請求項６】
前記支持基板と前記保護層との間に設けられた第２の密着層をさらに備えた請求項１〜５のいずれか１つに記載のキャリア。
【請求項７】
支持基板と、前記支持基板の上に設けられた剥離層と、前記支持基板と前記剥離層との間に設けられた保護層と、を有するキャリアを準備する工程と、
前記剥離層上に、半導体素子と、前記半導体素子を覆う樹脂材とを有する樹脂プレートを形成する工程と、
前記剥離層を厚さ方向に破断して前記保護層に達し、前記支持基板には達しない破断部を、前記キャリアに形成する工程と、
前記破断部を起点にして、前記支持基板を前記樹脂プレートから剥離する工程と、
を備えた半導体装置の製造方法。
【請求項８】
前記キャリアは、前記剥離層上に設けられた金属層を有し、
前記金属層をパターニングして形成された配線を含む配線層を前記剥離層上に形成する工程をさらに有し、
前記樹脂プレートは、前記配線層上に形成される請求項７記載の半導体装置の製造方法。
【請求項９】
前記樹脂プレートにおける前記支持基板の剥離により露出した面に、配線層を形成する工程をさらに備えた請求項７記載の半導体装置の製造方法。
【請求項１０】
前記樹脂プレートにおける前記キャリアに支持されている面とは反対の面に、配線層を形成する工程をさらに備え、
前記配線層を形成した後に、前記支持基板を前記樹脂プレートから剥離する請求項７記載の半導体装置の製造方法。
【請求項１１】
前記樹脂プレートから剥離した前記支持基板上に前記保護層および前記剥離層を再形成して、前記キャリアを再び準備する工程と、
前記再形成された剥離層上に、前記樹脂プレートを再び形成する工程と、
をさらに備えた請求項７〜１０のいずれか１つに記載の半導体装置の製造方法。
【発明の詳細な説明】
【技術分野】
【０００１】
本発明の実施形態は、キャリアおよび半導体装置の製造方法に関する。
【背景技術】
【０００２】
新たなパッケージ技術として、ＦＯ−ＷＬＰ（Fan Out Wafer Level Package）の開発が進められている。ＦＯ−ＷＬＰでは、支持基板上で配線の形成、チップのマウント、封止などの実装工程が行われた後、支持基板から封止品を剥離し、個片化してパッケージが完成する。
【０００３】
高精細な配線ピッチを形成する製品では、生産に前工程装置を使用するため、使用される支持基板はガラスやシリコンのウェーハである。いずれも総コストに占める比率が高いため、支持基板の再利用の要求がある。
【先行技術文献】
【特許文献】
【０００４】
【特許文献１】特開２０１６−２０３４０９号公報
【特許文献２】特開２０１８−２９１８４号公報
【発明の概要】
【発明が解決しようとする課題】
【０００５】
本発明の実施形態は、支持基板の再利用が可能なキャリアおよび半導体装置の製造方法を提供する。
【課題を解決するための手段】
【０００６】
本発明の一実施形態によれば、キャリアは、支持基板と、前記支持基板の上に設けられた剥離層と、前記支持基板と前記剥離層との間に設けられた第１の密着層と、前記支持基板と前記第１の密着層との間に設けられ、前記剥離層の厚さおよび前記第１の密着層の厚さよりも厚い保護層と、を備えている。
【図面の簡単な説明】
【０００７】
【図１】本発明の実施形態に係るキャリアの模式断面図である。
【図２】本発明の実施形態に係る半導体装置の製造方法を示す模式断面図である。
【図３】本発明の実施形態に係る半導体装置の製造方法を示す模式断面図である。
【図４】本発明の実施形態に係る半導体装置の製造方法を示す模式断面図である。
【図５】本発明の実施形態に係る半導体装置の製造方法を示す模式断面図である。
【図６】本発明の実施形態に係る半導体装置の製造方法を示す模式断面図である。
【図７】本発明の実施形態に係る半導体装置の製造方法を示す模式断面図である。
【図８】本発明の実施形態に係る半導体装置の製造方法を示す模式断面図である。
【図９】本発明の実施形態に係る半導体装置の製造方法を示す模式断面図である。
【図１０】本発明の実施形態に係る半導体装置の製造方法を示す模式平面図である。
【図１１】本発明の実施形態に係るキャリアの模式断面図である。
【発明を実施するための形態】
【０００８】
以下、図面を参照し、本発明の実施形態について説明する。各図において、同じ要素には同じ符号を付して詳細な説明は適宜省略する。なお、図面は模式的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【０００９】
図１は、本発明の実施形態に係るキャリア１０の模式断面図である。
【００１０】
キャリア１０は、支持基板１１と、保護層１２と、第１の密着層（以下、単に密着層ともいう）１３と、剥離層１４と、金属層１５とを有する。支持基板１１上に、保護層１２、密着層１３、剥離層１４、および金属層１５が順に設けられている。
【００１１】
支持基板１１は、例えば、シリコン基板またはガラス基板である。支持基板１１の厚さは、保護層１２の厚さ、密着層１３の厚さ、剥離層１４の厚さ、および金属層１５の厚さよりも厚い。支持基板１１の厚さは、例えば１ｍｍほどである。
【００１２】
密着層１３の厚さは、５μｍ以下であり、より好ましくは１μｍ以下であり、例えば０．５μｍほどである。剥離層１４の厚さは、１０００ｎｍ以下であり、好ましくは１００ｎｍ以下であり、より好ましくは１０ｎｍ以下であり、例えば数ｎｍである。金属層１５の厚さは、５μｍ以下であり、より好ましくは１μｍ以下であり、例えば０．５μｍほどである。
【００１３】
保護層１２の厚さは、密着層１３の厚さ、剥離層１４の厚さ、および金属層１５の厚さよりも厚い。保護層１２の厚さは、例えば、１μｍ以上であり、好ましくは５μｍ以上、より好ましくは１０μｍ以上である。また、保護層１２は支持基板１１の両面に形成してもよい。これにより、厚い保護層１２によるウェーハの反りを抑制できる。
【００１４】
保護層１２は、Ａｌ、Ｔｉ、Ｖ、Ｃｒ、Ｆｅ、Ｃｏ、Ｎｉ、Ｃｕ、Ｇｅ、Ｒｂ、Ｙ、Ｚｒ、Ｎｂ、Ｍｏ、Ｒｈ、Ｐｄ、Ａｇ、Ｓｎ、Ｓｍ、Ｇｄ、Ｄｙ、Ｅｒ、Ｈｆ、Ｔａ、Ｗ、Ｒｅ、Ｏｓ、Ｉｒ、Ｐｔ、Ａｕ、Ｔｈ、およびＵよりなる群から選択された少なくとも１つを含む金属または酸化物からなる。または、保護層１２は、樹脂層である。
【００１５】
密着層１３と金属層１５も、保護層１２と同じ金属を含む材料を用いることができる。また、密着層１３は少なくとも１層であり、２層以上形成してもよい。例えば、密着層１３は、剥離層１４との密着性が高い材料の層と、保護層１２との密着性が高い材料の層を含む構成にすることで密着層１３を挟む層構造の密着性を向上させることができる。金属層１５も、少なくとも１層であり、２層以上形成してもよい。
【００１６】
剥離層１４は、例えばカーボンを主成分として含む。密着層１３は、保護層１２と剥離層１４との間の密着性を高め、例えば金属層である。
【００１７】
金属層１５は、例えばメッキ用のシード層として機能する。また、金属層１５は、剥離層１４の表面を覆って剥離層１４の表面を汚染等から保護するカバー層としても機能する。
【００１８】
保護層１２が金属を含む材料の場合、例えばめっきで形成すると厚膜化が容易である。または、保護層１２は、スパッタリング法や蒸着法で形成してもよい。
【００１９】
保護層１２のＴＴＶ（Total Thickness Variation）を、１０μｍ以下、好ましくは５μｍ以下、より好ましくは１μｍ以下とすると、キャリア１０上に段切れのない配線形成が可能になる。
【００２０】
剥離層１４の厚さがｎｍオーダーのため、保護層１２の表面粗さ（例えばＲａ）は、０．１μｍ以下、好ましくは０．０１μｍ以下、より好ましくは０．００１μｍ以下である。また、保護層１２の成膜後に表面研削をして、求めるＴＴＶ、Ｒａを確保してもよい。
【００２１】
保護層１２が樹脂層である場合、熱可塑性樹脂、熱硬化性樹脂を、コンプレッションモールド、トランスファーモールド、インクジェットモールドなどの方法で形成することができる。この場合も、樹脂層の成膜後に表面研削をして、求めるＴＴＶ、Ｒａを確保することができる。
【００２２】
また、保護層１２、密着層１３、剥離層１４、および金属層１５は、例えば、ターゲットを変えたスパッタリング法で、同じチャンバー内で連続して形成することができる。
【００２３】
図２（ａ）〜図５（ｂ）は、キャリア１０を用いた半導体装置の製造方法を示す模式断面図である。
【００２４】
まず、図２（ａ）に示すように、前述したキャリア１０を準備する。なお、図２（ａ）以降の製造方法を示す断面図においては、図１に示す密着層１３および金属層１５の図示を省略している。
【００２５】
キャリア１０上には、図２（ｂ）に示すように、配線層２０が形成される。配線層２０は、複数の配線２２と、複数の配線２２間を絶縁する絶縁層２１とを有する。配線２２は、金属配線であり、例えばＣｕを含む。配線２２は、単層でも複数層でもよい。
【００２６】
図１に示す金属層１５上にレジストが形成される。そのレジストは露光および現像によりパターニングされ、メッキレジストが形成される。そして、金属層１５をシード層として用いたメッキ法により、メッキレジストから露出している金属層１５上に配線２２が形成される。その後、メッキレジストを除去する。その後、絶縁層２１が形成される。複数層の配線２２を形成する場合には、絶縁層２１にビアを形成する工程や、上層の配線２２を形成するメッキ工程などが続けられる。
【００２７】
配線層２０上には、図３（ａ）に示すように、半導体素子３０が実装される。半導体素子３０は、半導体層３１と、オンチップ配線層３２と、電極３３とを有する。電極３３が配線層２０の配線２２に接合され、半導体素子３０は配線２２と電気的に接続される。
【００２８】
半導体素子３０を配線層２０上に実装した後、図３（ｂ）に示すように、半導体素子３０を樹脂材４０で覆う。配線層２０上に、半導体素子３０と、半導体素子３０を覆う樹脂材４０とを有する樹脂プレート５０が形成される。
【００２９】
樹脂プレート５０を形成した後、図４（ａ）に示すように、例えばナイフ等の治具１００を用いて、剥離層１４の一部を破断する。
【００３０】
図１０は、図４（ａ）の構造体の模式上面図である。
【００３１】
例えば円形ウェーハ状態のキャリア１０における外周部には樹脂プレート５０が形成されていない。その外周部の一部分に治具１００による破断部１０１が形成される。
【００３２】
治具１００によって、配線層２０、金属層１５、剥離層１４、および密着層１３が厚さ方向に破断され、治具１００の先端は保護層１２に達する。破断部は、保護層１２で止まり、支持基板１１には達しない。したがって、支持基板１１には治具１００による傷が付かない。
【００３３】
破断部を形成した後、その破断部を起点にして、支持基板１１を樹脂プレート５０から剥離する。例えば、樹脂プレート５０側をダイシングテープを介してステージ上に固定した状態で、破断部に近い側から支持基板１１を真空吸着していくことで、支持基板１１を剥離する。
【００３４】
図４（ｂ）に示すように、支持基板１１と樹脂プレート５０とは、剥離層１４を境にして分離する。例えば、剥離層１４は、樹脂プレート５０側に付いた部分と、支持基板１１側に付いた部分とにそれぞれに分かれる。
【００３５】
樹脂プレート５０側の配線層２０に付いている剥離層１４は、例えばエッチングで除去される。その後、金属層１５も、例えばエッチングで除去される。支持基板１１が剥離され、図５（ａ）に示すように、配線層２０における樹脂プレート５０が形成された面とは反対側の面が露出する。その面に露出した配線２２の一部（パッド）には、電解めっき、もしくは無電解めっきにより、外部接続用の金属膜を形成する。さらに、必要に応じて、半田ボールや金属バンプが形成される。
【００３６】
その後、樹脂プレート５０および配線層２０は切断され、図５（ｂ）に示すように、複数の半導体装置６０に個片化される。
【００３７】
現在、支持基板の剥離方法として、剥離層にレーザ光を照射して材料改質し剥離をする方法と、剥離層にナイフ等で剥離のきっかけ（破断部）を形成して機械的に剥離をする方法の開発が進められている。
【００３８】
高価なレーザ装置を使用しないため、コスト観点で、機械剥離が注目されているが、剥離のきっかけ（破断部）の形成の際に、支持基板が損傷し、支持基板を再利用できないため、低コスト化の課題となっている。
【００３９】
本実施形態によれば、支持基板１１と剥離層１４の間に、剥離のきっかけとなる破断部の形成に使用するナイフの刃の先端を止める保護層１２を形成しているため、支持基板１１を損傷させずに、支持基板１１を剥離することができる。このため、支持基板１１の再利用が可能になり、プロセスコストを低減できる。
【００４０】
すなわち、剥離した支持基板１１上に残存した剥離層１４、金属層１５を除去した後、剥離層１４および金属層１５を再形成して、図１に示すキャリア１０を再び準備する。保護層１２および密着層１３も場合によっては再形成される。または、保護層１２は再形成ではなく、前回の使用で傷が入った表面を研削して再利用することもできる。そして、この再作成されたキャリア１０上に、前述した工程により、樹脂プレート５０を再び形成する。
【００４１】
図６（ａ）〜図７（ｂ）は、キャリア１０を用いた半導体装置の製造方法の他の例を示す模式断面図である。
【００４２】
図６（ａ）に示すように、キャリア１０における剥離層１４上に、半導体素子３０を実装する。半導体素子３０のオンチップ配線層３２が剥離層１４に対向される。
【００４３】
この例では、剥離層１４上のメッキ用シード層は不要にすることもできる。なお、メッキ用シード層の代わりに、剥離層１４の表面を保護するためのカバー層（絶縁膜や金属膜）や、半導体素子３０を接着、粘着させるための樹脂層が形成されていてもよい。
【００４４】
半導体素子３０をキャリア１０上に実装した後、図６（ｂ）に示すように、半導体素子３０を樹脂材４０で覆い、樹脂プレート５０を形成する。
【００４５】
その後、前述した工程と同様な方法で、剥離層１４に破断部を形成した後、その破断部を起点にして、支持基板１１を樹脂プレート５０から剥離する。このときも、破断部は、保護層１２で止まり、支持基板１１には達しない。
【００４６】
支持基板１１が剥離され、図７（ａ）に示すように、半導体素子３０のオンチップ配線層３２が露出する。この例では、剥離層１４上に形成している金属層や樹脂層を、支持基板１１の剥離後にエッチング等により除去する。そのオンチップ配線層３２、および樹脂材４０におけるオンチップ配線層３２側の面に、図７（ｂ）に示すように、配線層２０が形成される。この後、前述した例と同様に、複数の半導体装置に個片化される。
【００４７】
図８（ａ）〜図９（ｂ）は、キャリア１０を用いた半導体装置の製造方法のさらに他の例を示す模式断面図である。
【００４８】
図８（ａ）に示すように、キャリア１０における剥離層１４上に、半導体素子３０を実装する。半導体素子３０の実装には樹脂材料、もしくは、はんだ材料を使用する。半導体素子３０のオンチップ配線層３２および電極３３は、キャリア１０の反対側に向けられる。
【００４９】
この例では、剥離層１４上のメッキ用シード層は不要にすることもできる。なお、メッキ用シード層の代わりに、剥離層１４の表面を保護するためのカバー層（絶縁膜や金属膜）が形成されていてもよい。
【００５０】
半導体素子３０をキャリア１０上に実装した後、半導体素子３０を樹脂材４０で覆い、樹脂プレート５０を形成する。この後、樹脂材４０の表面は例えば研削され、図８（ｂ）に示すように、半導体素子３０の電極３３が樹脂材４０から露出される。
【００５１】
樹脂材４０における電極３３が露出した面に、図９（ａ）に示すように、配線層２０が形成される。電極３３は、配線層２０の配線２２と接続する。
【００５２】
その後、前述した工程と同様な方法で、剥離層１４に破断部を形成した後、その破断部を起点にして、支持基板１１を樹脂プレート５０から剥離する。このときも、破断部は、保護層１２で止まり、支持基板１１には達しない。
【００５３】
支持基板１１が剥離された図９（ｂ）に示す構造体は、前述した例と同様に、複数の半導体装置に個片化される。
【００５４】
図１１は、キャリア１０の他の例の模式断面図である。
【００５５】
図１１に示す例では、支持基板１１と保護層１２との間に、第２の密着層１６を設けている。この第２の密着層１６により、支持基板１１と保護層１２との間の密着性を高めることができ、保護層１２自体の材料選択の自由度が上がる。
【００５６】
なお、保護層１２として、治具１００よりも硬い層（例えば超硬合金層）を形成すると、保護層１２の薄化が可能となる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１０…キャリア、１１…支持基板、１２…保護層、１３…第１の密着層、１４…剥離層、１５…金属層、１６…第２の密着層、２０…配線層、２１…絶縁層、２２…配線、３０…半導体素子、４０…樹脂材、５０…樹脂プレート、１０１…破断部
【図１】
2020131552.tif 000003
【図２】
2020131552.tif 000004
【図３】
2020131552.tif 000005
【図４】
2020131552.tif 000006
【図５】
2020131552.tif 000007
【図６】
2020131552.tif 000008
【図７】
2020131552.tif 000009
【図８】
2020131552.tif 000010
【図９】
2020131552.tif 000011
【図１０】
2020131552.tif 000012
【図１１】
2020131552.tif 000013